(57)【要約】【課題】マッサージ機能の多様化を図り複数のマッサージ部を同時に使用することができるように配置してマッサージの効果を高めることができる足マッサージ機を提供する。【解決手段】本体部（１２）に左右の側部（１３，１４）を設けた平面視略コ字状の枠体（１１）と、前記枠体の左右の側部間に掛け渡され駆動装置（２５）により正逆可能に回転される回動軸（２１）を有する回転駆動部（２０）と、前記回動軸に取り付けられた主回転部材（３１，４１）の突起部（３２，４２）によってもみ効果を発生させる左右一対の主もみマッサージ部（３０，４０）と、前記左右一対の主もみマッサージ部の間の前記回動軸に取り付けられた中間回転部材（５１）の突起部（５２）によってもみ効果を発生させる中間もみマッサージ部（５０）とを有する。【選択図】図１
0003105227.tif 000002
【実用新案登録請求の範囲】
【請求項１】
本体部（１２）に左右の側部（１３，１４）を設けた平面視略コ字状の枠体（１１）と、
前記枠体の左右の側部間に掛け渡され駆動装置（２５）により正逆可能に回転される回動軸（２１）を有する回転駆動部（２０）と、
前記回動軸に取り付けられた主回転部材（３１，４１）の突起部（３２，４２）によってもみ効果を発生させる左右一対の主もみマッサージ部（３０，４０）と、
前記左右一対の主もみマッサージ部の間の前記回動軸に取り付けられた中間回転部材（５１）の突起部（５２）によってもみ効果を発生させる中間もみマッサージ部（５０）
とを有することを特徴とする足マッサージ機。
【請求項２】
前記枠体の本体部に、表面に多数の突起（６２，７２）を備えた足載せ部（６１、７１）の背面側に振動発生部（６５，７５）を設けた左右一対の振動マッサージ部（６０，７０）を有する請求項１に記載の足マッサージ機。
【請求項３】
前記振動マッサージ部の振動発生部が複数種類の振動を自動的に変化して発生する請求項２に記載の足マッサージ機。
【請求項４】
前記振動マッサージ部の足載せ部に赤外線を放射する赤外線発生部（８０，９０）を有する請求項２又は３に記載の足マッサージ機。
【考案の詳細な説明】
【技術分野】
【０００１】
この考案は足マッサージ機に関する。
【背景技術】
【０００２】
一般に、ふくらはぎを突起部を有する回転ロ―ラによって刺激してマッサージするものや足裏を振動によって刺激してマッサージするもの等の足マッサージ機が知られている。
【０００３】
足の疲労は、足裏のもみや足側部のもみによっても回復させることができるため、これらすべてのマッサージは足の疲労を回復させるために同時に行うことができるようにすることが好ましい。
【０００４】
しかしながら、これらすべてのマッサージを同時に行うことができるようにするために複数のマッサージ部を設けると、足マッサージ機が大型化してしまうという問題がある。さらに、複数のマッサージ部はマッサージの効果を高めることができるように配置することが好ましい。
【考案の開示】
【考案が解決しようとする課題】
【０００５】
この考案は、このような状況に鑑み提案されたものであって、マッサージ機能の多様化を図り複数のマッサージ部を同時に使用することができるように配置してマッサージの効果を高めることができる足マッサージ機を提供することを目的とする。
【課題を解決するための手段】
【０００６】
すなわち、請求項１の考案は、本体部（１２）に左右の側部（１３，１４）を設けた平面視略コ字状の枠体（１１）と、前記枠体の左右の側部間に掛け渡され駆動装置（２５）により正逆可能に回転される回動軸（２１）を有する回転駆動部（２０）と、前記回動軸に取り付けられた主回転部材（３１，４１）の突起部（３２，４２）によってもみ効果を発生させる左右一対の主もみマッサージ部（３０，４０）と、前記左右一対の主もみマッサージ部の間の前記回動軸に取り付けられた中間回転部材（５１）の突起部（５２）によってもみ効果を発生させる中間もみマッサージ部（５０）とを有することを特徴とする足マッサージ機に係る。
【０００７】
請求項２の考案は、請求項１において、前記枠体の本体部に、表面に多数の突起（６２，７２）を備えた足載せ部（６１、７１）の背面側に振動発生部（６５，７５）を設けた左右一対の振動マッサージ部（６０，７０）を有する足マッサージ機に係る。
【０００８】
請求項３の考案は、請求項２において、前記振動マッサージ部の振動発生部が複数種類の振動を自動的に変化して発生する足マッサージ機に係る。
【０００９】
請求項４の考案は、請求項２又は３において、前記振動マッサージ部の足載せ部に赤外線を放射する赤外線発生部（８０，９０）を有する足マッサージ機に係る。
【考案の効果】
【００１０】
請求項１の考案に係る足マッサージ機によれば、本体部（１２）に左右の側部（１３，１４）を設けた平面視略コ字状の枠体（１１）と、前記枠体の左右の側部間に掛け渡され駆動装置（２５）により正逆可能に回転される回動軸（２１）を有する回転駆動部（２０）と、前記回動軸に取り付けられた主回転部材（３１，４１）の突起部（３２，４２）によってもみ効果を発生させる左右一対の主もみマッサージ部（３０，４０）と、前記左右一対の主もみマッサージ部の間の前記回動軸に取り付けられた中間回転部材（５１）の突起部（５２）によってもみ効果を発生させる中間もみマッサージ部（５０）とを有することより、多様なマッサージ機能を有する複数のマッサージ部を同時に使用することができるように配置してマッサージの効果を高めることができる。
【００１１】
請求項２の考案によれば、請求項１において、前記枠体の本体部に、表面に多数の突起（６２，７２）を備えた足載せ部（６１、７１）の背面側に振動発生部（６５，７５）を設けた左右一対の振動マッサージ部（６０，７０）を有することより、足載せ部の突起と振動発生部がつぼの刺激と叩きマッサージを同時に行って足裏のマッサージ効果を高めることができる。
【００１２】
請求項３の考案によれば、請求項２において、前記振動マッサージ部の振動発生部が複数種類の振動を自動的に変化して発生することより、異なる刺激を足裏のつぼに与えるとともに複数種類の叩きマッサージを行って足裏のマッサージ効果をさらに高めることができる。
【００１３】
請求項４の考案によれば、請求項２又は３において、前記振動マッサージ部の足載せ部に赤外線を放射する赤外線発生部（８０，９０）を有することより、赤外線の温熱によっても足裏のマッサージ効果を高めることができる。
【考案を実施するための最良の形態】
【００１４】
以下添付の図面に従ってこの考案を詳細に説明する。図１はこの考案の一実施例を示す足マッサージ機の平面図、図２は同足マッサージ機の側面図である。
【００１５】
この考案に係る実施例の足マッサージ機１０は、図１及び図２に図示するように、枠体１１と、回転駆動部２０と、左右一対の主もみマッサージ部３０，４０と、中間マッサージ部５０とを有するものである。回転駆動部２０、左右の主もみマッサージ部３０，４０、中間マッサージ部５０は、布製のカバ−１００で覆われている。
【００１６】
枠体１１は、本体部１２に左右の側部１３，１４を設けた平面視略コ字状のものである。図示の実施例では、この枠体１１が公知の強化プラスチック材料によって構成される。図中の符号１５は作動制御部、１６は電源コード、１７は電源投入スイッチ、１８は脚部材である。
【００１７】
回転駆動部２０は、前記枠体１１の左右の側部１３，１４間に掛け渡され駆動装置２５により正逆可能に回転される回動軸２１を有する。図示の実施例では、駆動装置２５が公知のモータによって構成されて本体部１２内に配置される。モータの駆動力は公知のギア機構２６によって回動軸２１に伝達される。回動軸２１の回転方向は、作動制御部１５に設けた正逆回転制御スイッチＳ１によって制御することができる。
【００１８】
左右一対の主もみマッサージ部３０，４０は、回動軸２１に取り付けられた主回転部材３１，４１の突起部３２，４２によってもみ効果を発生させる。この主回転部材３１，４１は、回動軸２１の円周状に複数取り付けられる。図示の実施例では、主回転部材３１，４１はそれぞれ８個の突起部３２，４２が形成されて回動軸２１の円周状に１２個ずつ取り付けられている。
【００１９】
この主もみマッサージ部３０，４０は、前記作動制御部１５のローリングスイッチＳ２によって回動軸２１を回転させてふくらはぎを突起部３２，４２によりマッサージ（ローリングマッサージ）する。このローリングマッサージは、作動制御部１５の速度制御スイッチＳ３によって回動軸２１の回転速度を変化させて適宜調整することができる。ここでは、回転速度を３段階（高速度、中速度、低速度）に変化させることができる。主もみマッサージ部３０，４０は、ふくらはぎに限らず足裏等のマッサージに用いることもできる。
【００２０】
中間もみマッサージ部５０は、左右一対の主もみマッサージ部３０，４０の間に前記回動軸２１に取り付けられた中間回転部材５１の突起部５２によってもみ効果を発生させる。図示の実施例では、中間回転部材５１はゴム部材によって構成され１０個の突起部５２が形成されている。中間もみマッサージ部５０を左右の主もみマッサージ部３０，４０の間に設けることにより、多様なマッサージ機能を有する複数のマッサージ部を同時に使用することができるように配置してマッサージの効果を高めることができる。実施例では、例えば左右の足を、それぞれ左主もみマッサージ部３０と中間もみマッサージ部５０によって同時にマッサージすることができる。
【００２１】
この中間もみマッサージ部５０は、図示するように、一対の中間回転部材５１が非平行に配置されている。一対の中間回転部材５１は、その間隔が回動軸２１が回転することによって変化し、突起部５２が足側部をマッサージ（もみマッサージ）する。
【００２２】
図示の実施例では、複回転部材５３が中間もみマッサージ部５０に配置されている。この複回転部材５３は、４個の突起部５４が形成され回動軸２１の円周状に１２個取り付けられて足裏をマッサージ（ローリングマッサージ）する。この実施例では、中間もみマッサージ部５０に挟まれた足の側部と足裏を同時にマッサージ（もみマッサージ，ローリングマッサージ）することができる。
【００２３】
この足マッサージ機１０は、図１及び図２に図示し請求項２の考案として規定したように、前記枠体１１の本体部１２に、表面に多数の突起６２，７２を備えた足載せ部６１，７１の背面側に振動発生部６５，７５を設けた左右一対の振動マッサージ部６０，７０を有する。この足載せ部６１，７１を本体部１２に配置することにより、例えば左右の足を、それぞれ左主もみマッサージ部３０と右振動マッサージ部７０によって同時にマッサージすることができる。足載せ部７１の突起７２は、図１に図示しないが、図２の如く形成されている。
【００２４】
図示の実施例では、左右の足載せ部６１，７１がゴム系材料によって構成される。各足載せ部の突起６２，７２は足裏のつぼを押圧して刺激する。この実施例の振動発生部６５，７５は公知の振動発生装置によって構成される。各振動発生部６５，７５は、足載せ部の突起６２，７２をそれぞれ振動させて足裏をマッサージ（叩きマッサージ）する。この振動発生部６５，７５は、前記作動制御部１５の叩きスイッチＳ４によって作動又は停止される。各足載せ部の突起６２，７２と振動発生部６５，７５によって、つぼの刺激と叩きマッサージを同時に行い、足裏のマッサージ効果を高めることができる。
【００２５】
この振動マッサージ部６０，７０の振動発生部６５，７５は、請求項３の考案として規定したように、複数種類の振動を自動的に変化して発生させる。ここでは、振動発生部６５，７５が、コイルの励磁又は非励磁を複数の所定時間の間隔を組み合わせて繰り返すことにより、複数種類の振動を自動的に変化して発生させる。これによって、異なる刺激を足裏のつぼに与えるとともに複数種類の叩きマッサージを行って足裏のマッサージ効果をさらに高めることができる。
【００２６】
振動マッサージ部６０，７０の足載せ部６１，７１は、図１に図示し請求項４の考案として規定したように、赤外線を放射する赤外線発生部８０，９０を有する。ここでは、各赤外線発生部８０，９０がそれぞれ５個の赤外線ランプによって構成される。これによって、足裏を赤外線によって温めてマッサージ（温熱マッサージ）することができる。  
【図面の簡単な説明】
【００２７】
【図１】この考案の一実施例を示す足マッサージ機の平面図である。
【図２】同足マッサージ機の側面図である。
【符号の説明】
【００２８】
１０  足マッサージ機
１１  枠体
１２  本体部
１３  本体部の左側部
１４  本体部の右側部
２０  回転駆動部
２１  回動軸
２５  駆動装置
３０  左主もみマッサージ部
３１  左主もみマッサージ部の主回転部材
３２  左主もみマッサージ部の主回転部材の突起部
４０  右主もみマッサージ部
４１  右主もみマッサージ部の主回転部材
４２  右主もみマッサージ部の主回転部材の突起部
５０  中間もみマッサージ部
５１  中間回転部材
５２  中間回転部材の突起部
６０  左振動マッサージ部
６１  左振動マッサージ部の足載せ部
６２  左振動マッサージ部の足載せ部の突起
６５  左振動マッサージ部の振動発生部
７０  右振動マッサージ部
７１  右振動マッサージ部の足載せ部
７２  右振動マッサージ部の足載せ部の突起
７５  右振動マッサージ部の振動発生部
８０  左振動マッサージ部の赤外線発生部
９０  右振動マッサージ部の赤外線発生部
【図１】
0003105227.tif 000003
【図２】
0003105227.tif 000004